(57)【要約】【課題】簡易な構成で効率よくモバイルＩＰ通信を行うことが可能なデータ通信方法を得ること。【解決手段】モバイルＩＰネットワーク上に接続されたＡＰ２ｂと、移動端末１と、移動端末１とデータ通信を行う端末３Ｙ，３Ｚと、端末３Ｙ，３Ｚが移動端末１に送信するデータを端末３Ｙ，３Ｚから受信して記憶する端末３Ｗとを有するモバイルＩＰネットワークシステム内のデータ通信方法において、移動端末１が端末３Ｙ，３Ｚと行なうデータ通信の処理能力が低下すると、移動端末１のデータ通信の処理能力の低下に応じて移動端末１が端末３Ｙ，３Ｚと通信中の所定のデータを選択し、選択したデータの最初からのデータを端末３Ｙ，３Ｚから端末３Ｗに送信し、端末３Ｗが端末３Ｙ，３Ｚから受信したデータを移動端末１からの要求に応じて移動端末１に転送する。【選択図】        図１
2006191177.tif 000002
【特許請求の範囲】
【請求項１】
モバイルＩＰネットワーク上に接続されたアクセスポイントと、該アクセスポイントと無線通信を行う移動端末と、前記モバイルＩＰネットワーク上に接続されるとともに前記アクセスポイントを介して前記移動端末とデータ通信を行う１〜複数の通信端末と、前記通信端末が前記移動端末に送信するデータを前記通信端末から受信して一時的に記憶するデータ記憶端末とを有するモバイルＩＰネットワークシステム内のデータ通信方法において、
前記移動端末が、前記通信端末と行なうデータ通信の処理能力が低下することを検出する通信能力検出ステップと、
前記移動端末が検出したデータ通信の処理能力の低下に応じて前記移動端末が前記通信端末と通信中の所定のデータを選択し、該選択したデータを前記通信端末から前記データ記憶端末に送信させるための送信指示情報を、前記移動端末が前記モバイルＩＰネットワークを介して前記通信端末に送信する送信指示ステップと、
前記通信端末が前記指示情報に基づいて、前記移動端末に送信中のデータの最初からのデータを一時記憶データとして前記データ記憶端末に送信する記憶データ送信ステップと、
前記データ記憶端末が受信した一時記憶データを前記移動端末からの要求に応じて前記移動端末に転送するデータ転送ステップと、
を含むことを特徴とするデータ通信方法。
【請求項２】
前記通信能力検出ステップは、前記移動端末が接続するアクセスポイントが切り替わる際に前記移動端末が接続する前記アクセスポイントからの気付アドレスに基づいて、前記移動端末が前記通信端末と行なうデータ通信の処理能力の低下を検出することを特徴とする請求項１に記載のデータ通信方法。
【請求項３】
前記通信能力検出ステップは、前記移動端末が前記通信端末と通信している際の通信の実効速度に基づいて、前記移動端末が前記通信端末と行なうデータ通信の処理能力の低下を検出することを特徴とする請求項１に記載のデータ通信方法。
【請求項４】
前記移動端末は、前記送信指示情報に前記データ記憶端末を識別する識別情報を含めて前記送信指示情報を前記通信端末に送信することを特徴とする請求項１〜３のいずれか１つに記載のデータ通信方法。
【請求項５】
前記移動端末からの前記送信指示情報は、前記データ記憶端末に送信され、
前記データ記憶端末が前記送信指示情報に前記通信端末を識別する識別情報を含めて前記送信指示情報を前記通信端末に送信することを特徴とする請求項１〜３のいずれか１つに記載のデータ通信方法。
【請求項６】
前記移動端末からの前記送信指示情報は、前記移動端末の位置管理を行うホームエージェントに送信され、
前記ホームエージェントが前記送信指示情報に前記通信端末を識別する識別情報を含めて前記送信指示情報を前記通信端末に送信することを特徴とする請求項１〜３のいずれか１つに記載のデータ通信方法。
【請求項７】
前記移動端末からの前記送信指示情報は前記データ記憶端末に送信され、
前記データ記憶端末が前記送信指示情報に前記通信端末を識別する識別情報を含めて前記送信指示情報を前記ホームエージェントに送信し、
前記ホームエージェントが前記送信指示情報を前記通信端末に送信することを特徴とする請求項１〜３のいずれか１つに記載のデータ通信方法。
【請求項８】
前記移動端末は、前記移動端末が通信中の複数の通信端末から通信端末を選択することによって前記移動端末と前記通信端末が通信中のデータを選択し、該選択した通信端末と通信中のデータを前記データ記憶端末に送信させるための送信指示情報を前記通信端末に送信することを特徴とする請求項１〜７のいずれか１つに記載のデータ通信方法。
【請求項９】
前記移動端末は、前記移動端末が前記通信端末と通信中の複数のデータから所定のデータを選択することによって前記移動端末と前記通信端末が通信中のデータを選択し、該選択した通信端末と通信中のデータを前記データ記憶端末に送信させるための送信指示情報を前記通信端末に送信することを特徴とする請求項１〜８のいずれか１つに記載のデータ通信方法。
【請求項１０】
前記通信端末が前記データ記憶端末に前記一時記憶データを送信している際に前記移動端末が前記通信端末と行なうデータ通信の処理能力が向上したことを検出すると、前記移動端末が検出したデータ通信の処理能力の向上に応じて前記通信端末から前記データ記憶端末に送信させているデータを選択し、該選択したデータの前記通信端末から前記移動端末への送信を停止させる転送停止指示情報を、前記移動端末が前記モバイルＩＰネットワークを介して前記通信端末に送信する転送停止指示ステップと、
前記通信端末が前記転送停止指示情報を受信すると前記移動端末への送信を停止させた後の残りのデータを前記通信端末が前記移動端末に送信する残データ送信ステップとをさらに含むことを特徴とする請求項１〜９のいずれか１つに記載のデータ通信方法。
【請求項１１】
モバイルＩＰネットワーク上に接続されたアクセスポイントと、該アクセスポイントと無線通信を行う移動端末と、前記モバイルＩＰネットワーク上に接続されるとともに前記アクセスポイントを介して前記移動端末とデータ通信を行う１〜複数の通信端末と、前記通信端末が前記移動端末に送信するデータを前記通信端末から受信して一時的に記憶するデータ記憶端末とを有するモバイルＩＰネットワークシステムにおいて、
前記移動端末は、
前記通信端末と行なうデータ通信の処理能力が低下することを検出し、検出したデータ通信の処理能力の低下に応じて前記通信端末と通信中の所定のデータを選択し、該選択したデータを前記通信端末から前記データ記憶端末に送信させるための送信指示情報を、前記モバイルＩＰネットワークを介して前記通信端末に送信し、
前記通信端末は、
前記送信指示情報に基づいて、前記移動端末に送信中のデータの最初からのデータを一時記憶データとして前記データ記憶端末に送信し、
前記データ記憶端末は、
受信した一時記憶データを前記移動端末からの要求に応じて前記移動端末に転送することを特徴とするモバイルＩＰネットワークシステム。
【請求項１２】
モバイルＩＰネットワーク上に接続されたアクセスポイントと、該アクセスポイントと無線通信を行う移動端末と、前記モバイルＩＰネットワーク上に接続されるとともに前記アクセスポイントを介して前記移動端末とデータ通信を行う１〜複数の通信端末と、前記通信端末が前記移動端末に送信するデータを前記通信端末から受信して一時的に記憶するデータ記憶端末とを有するモバイルＩＰネットワークシステムに適用される移動端末において、
前記通信端末と行なうデータ通信の処理能力が低下することを検出し、検出したデータ通信の処理能力の低下に応じて前記通信端末と通信中の所定のデータを選択し、該選択したデータを前記通信端末から前記データ記憶端末に送信させるための送信指示情報を、前記モバイルＩＰネットワークを介して前記通信端末に送信し、
前記通信端末が前記送信指示情報に基づいて前記データ記憶端末に送信した当該移動端末に送信中のデータの最初からのデータである一時記憶データの転送を、前記データ記憶端末に要求することを特徴とする移動端末。
【発明の詳細な説明】
【技術分野】
【０００１】
本発明は、モバイルＩＰ通信によるデータ通信方法、モバイルＩＰネットワークシステムおよび移動端末に関するものである。
【背景技術】
【０００２】
近年、無線ＬＡＮ（Local Area Network）技術が急速に発展している。無線ＬＡＮにおいては、移動端末が行う通信を保証する技術が各種提案されている。例えば、移動端末の移動によってＩＰ（Internet Protocol）サブネット（サブネットワーク）が変化すると、移動端末が使用するＩＰアドレスが変化するため通信のセッションが切れてしまう。このような場合であってもモバイルＩＰは通信を保持することができ、モバイルＩＰによって通信セッションの切断を回避することが可能となる。モバイルＩＰにおいては、通信を行っている全てのセッションが同一に扱われるため、移動端末がＶｏＩＰ（Voice over Internet Protocol）やＰｔｏＰ（Peer to Peer）ファイル交換を同時にしていた場合、移動端末の移動に従ってＶｏＩＰやＰｔｏＰ通信などの全てのセッションは同一の枠組みのもとでハンドオーバする。
【０００３】
このため、異なる帯域を持ったアクセスポイント間での無線システム間で広帯域から狭帯域への無線システム間ハンドオーバが生じると、ホームエージェントは複数からなる全てのセッションを同一に扱うため無線帯域が足りずに通信が大きく乱れてしまうといった問題がある。
【０００４】
この問題を解決する方法として、無線帯域が足りない場合にセッションを止めるのではなく、例えばＭＰＥＧ（Motion Picture Expert Group）２からＭＰＥＧ４などのコーデック変換を行い、アプリケーションレベルで通信帯域を調整する方法がある。しかしながら、この方法ではファイル交換など帯域が調整できない場合には適用できないといった問題があった。
【０００５】
また、無線帯域が足りない場合にモバイルＩＰを使わずに、全てセッションＭｏｂｉｌｉｔｙで移動制御を行う方法がある。この方法では、セッションを独立に扱えるのでセッションごとの管理は容易に行なえるが、セッションを常に独立で管理するのでネットワークとしてボトルネックになってしまうといった問題があった。
【０００６】
特許文献１に記載のハンドオーバ制御システムは、移動端末が、各無線アクセス局からの下り信号を受信し、受信した下り信号の受信品質に基づいて、移動先となる無線アクセス局を収容する無線システムを決定している。
【０００７】
特許文献２に記載の通信システムは、第１の端末に接続された第１の転送装置は、第２の端末の識別情報と第２の端末に接続された第２の転送装置宛てのルーティング情報とを関連付けて記憶し、第１の端末から受信したデータに含まれる第２の端末の識別情報に関連付けられたルーティング情報を付与して、該データを第２の転送装置宛てに転送している。
【０００８】
【特許文献１】特開２００４−２６０４４４号公報
【特許文献１】特開２００３−２５８８５９号公報
【発明の開示】
【発明が解決しようとする課題】
【０００９】
しかしながら、上記前者の従来技術では、ファイル転送などに低速で長時間の通信を要することとなり、パケットロス、ファイルの破損、移動端末の消費電力の増大、無線帯域を無駄に使用してしまうといった問題があった。
【００１０】
また、上記後者の従来技術では、例えばＰｔｏＰ（Peer to Peer）の場合に再度ファイル検索からスタートする必要があるためデータの通信効率が極めて悪くなる。また、課金されるコンテンツに再度アクセスすると、再度アクセスした時に課金される場合があるといった問題があった。
【００１１】
本発明は、上記に鑑みてなされたものであって、簡易な構成で効率よくモバイルＩＰ通信を行うことが可能なデータ通信方法を得ることを目的とする。
【課題を解決するための手段】
【００１２】
上述した課題を解決し、目的を達成するために、本発明は、モバイルＩＰネットワーク上に接続されたアクセスポイントと、該アクセスポイントと無線通信を行う移動端末と、前記モバイルＩＰネットワーク上に接続されるとともに前記アクセスポイントを介して前記移動端末とデータ通信を行う１〜複数の通信端末と、前記通信端末が前記移動端末に送信するデータを前記通信端末から受信して一時的に記憶するデータ記憶端末とを有するモバイルＩＰネットワークシステム内のデータ通信方法において、前記移動端末が、前記通信端末と行なうデータ通信の処理能力が低下することを検出する通信能力検出ステップと、前記移動端末が検出したデータ通信の処理能力の低下に応じて前記移動端末が前記通信端末と通信中の所定のデータを選択し、該選択したデータを前記通信端末から前記データ記憶端末に送信させるための送信指示情報を、前記移動端末が前記モバイルＩＰネットワークを介して前記通信端末に送信する送信指示ステップと、前記通信端末が前記指示情報に基づいて、前記移動端末に送信中のデータの最初からのデータを一時記憶データとして前記データ記憶端末に送信する記憶データ送信ステップと、前記データ記憶端末が受信した一時記憶データを前記移動端末からの要求に応じて前記移動端末に転送するデータ転送ステップと、を含むことを特徴とする。
【００１３】
この発明によれば、移動端末のデータ通信の処理能力の低下に応じて移動端末が通信端末と通信中の所定のデータを通信端末からデータ記憶端末に送信させ、移動端末はデータ記憶端末が記憶するデータ記憶端末から受信することが可能となる。
【発明の効果】
【００１４】
この発明によれば、移動端末のデータ通信の処理能力の低下に応じて移動端末が通信端末と通信中の所定のデータを通信端末からデータ記憶端末に送信させ、移動端末がデータ記憶端末からのデータを受信するので、移動端末は効率良く通信を行うことが可能になるという効果を奏する。
【発明を実施するための最良の形態】
【００１５】
以下に、本発明に係るモバイルＩＰ（Internet Protocol）通信のデータ通信方法の実施の形態を図面に基づいて詳細に説明する。なお、この実施の形態によりこの発明が限定されるものではない。
【００１６】
実施の形態１．
本実施の形態１においては、移動端末１は最初にＡＰ２ａにアクセスした後、移動してＡＰ２ｂにアクセスする（ハンドオーバ）。そして、移動端末１から所定の端末（後述する端末３Ｗ）に対し、通信継続の困難なデータ通信に関する情報を送信し、移動端末１との通信継続が困難なデータ通信のデータを端末３Ｗに送信する。
【００１７】
図１は、本発明に係るモバイルＩＰネットワークの構成を示す構成図である。モバイルＩＰネットワークは、ルータやアクセス装置（図示せず）などから構成された一般的な通信ネットワーク（インターネット１００）を含んで構成されている。
【００１８】
インターネット１００には、無線ＬＡＮ（Local Area Network）やＣＤＭＡ（Code Division Multiple Access）等の移動端末１を無線で収容するためのアクセスポイント（以下、ＡＰ（Access Point）という）２ａ，２ｂ、モバイルＩＰのホームエージェント（以下、ＨＡ（Home Agent）という）４、複数の端末３Ｗ〜３Ｚが接続されている。
【００１９】
ＡＰ２ａは例えば無線ＬＡＮ（ＷＬＡＮ）等の広帯域で通信可能なアクセスポイントであり、ＡＰ２ｂはＣＤＭＡ（３Ｇ）等の狭帯域で通信可能なアクセスポイントである。移動端末１は、携帯電話、ＰＤＡ（Personal Digital Assistant）、ＰＨＳ（Personal Handyphone System）等の移動しながらデータ通信可能な端末である。ホームエージェント４は、移動端末１の位置に関する情報を管理するとともに、移動端末１が移動先で通信できるようパケット転送等を行なう。
【００２０】
各端末３Ｗ〜３Ｚは、パーソナルコンピュータや携帯電話等の通信端末であり、モバイルＩＰネットワーク内でデータ通信を行う。端末（データ記憶端末）３Ｗは移動端末１が狭帯域の通信エリアに移動した際に、通信継続の困難な端末（例えば、端末３Ｙ，３Ｚ）と通信を行なう。端末（通信端末）３Ｘ〜３Ｚは移動端末１とリアルタイム通信や非リアルタイム通信を行う。ここでのリアルタイム通信としては例えば音声通信、テレビ電話等の通信があり、非リアルタイム通信はデータファイル等の通信がある。
【００２１】
図２は、実施の形態１に係るモバイルＩＰ通信処理の概念を説明するための概念図である。移動端末１は、最初にＡＰ２ａを介して端末３Ｘとリアルタイム通信を行なうとともにＡＰ２ａを介して端末３Ｙ，３Ｚと非リアルタイム通信を行なっている。移動端末１がＡＰ２ａの通信エリアからＡＰ２ｂの通信エリアに移動すると、移動端末１はＡＰ２ｂから気付アドレス（以下、ＣｏＡ（Care of Address）という）が割り当てられる（ＳＴ１）。
【００２２】
移動端末１は、ＡＰ２ｂからＣｏＡを割り当てられると、ＡＰ２ｂからのＣｏＡに基づいて広帯域のＡＰ２ａの通信エリアから狭帯域のＡＰ２ｂの通信エリアへ移動したことを認識する。移動端末１は、ＨＡ４から移動端末１に割り当てられているホームアドレス（以下、ＨｏＡ（Home Address）という）とＣｏＡをＨＡ４に登録させる（ＳＴ２）。
【００２３】
移動端末１は、ＡＰ２ａの通信エリアからＡＰ２ｂの通信エリアへ移動したことによって、データ通信の通信帯域が狭くなり、全てのセッションを円滑に処理することが困難となる。このため、移動端末１は通信を切断したくないリアルタイム通信を行っている端末３ＸにはＣｏＡを通知する（ＳＴ３）。
【００２４】
移動端末１は、端末３Ｗに対し、移動端末１と端末３Ｙ、移動端末１と端末３Ｚで行っている通信を継続することが困難な非リアルタイム通信に関する情報を通知する（ＳＴ４）。
【００２５】
また、移動端末１は通信を継続することが困難な端末３Ｙと端末３Ｚに対し、移動端末１と端末３Ｙ，３Ｚが通信しているデータを端末３Ｙ，３Ｚから端末３Ｗに転送させるための指示情報、端末３Ｗの宛先アドレス等を含んだ情報を送信する（ＳＴ５）。
【００２６】
この後、端末３Ｗと端末３Ｙ，３Ｚは、移動端末１から受信した情報に基づいて端末３Ｗと端末３Ｙの間、端末３Ｗと端末３Ｚの間でデータ通信を行う。すなわち、端末３Ｙ，３Ｚは移動端末１に送信するデータを端末３Ｗに送信する。また、端末３Ｘは移動端末１からのＣｏＡに基づき、ＡＰ２ｂを介して移動端末１との通信を継続する（ＳＴ６）。
【００２７】
図３は、実施の形態１に係るモバイルＩＰ通信方法の処理手順を示すシーケンス図である。移動端末１は、最初にＡＰ２ａにアクセスし、ＨＡ４を介して端末３Ｘとリアルタイム通信（ＤＡＴＡ）をするとともにＨＡ４を介して端末３Ｙ，３Ｚと非リアルタイム通信（ＤＡＴＡ）をしている（（１）〜（３））。
【００２８】
移動端末１がＡＰ２ａの通信エリアからＡＰ２ｂの通信エリアに移動し、ＡＰ２ａからＡＰ２ｂへのハンドオーバが起こる。移動端末１がＡＰ２ｂにアクセスすると、移動端末１はＡＰ２ｂからＣｏＡが割り当てられる。
【００２９】
移動端末１は、ＡＰ２ｂからＣｏＡを割り当てられると、ＡＰ２ｂからのＣｏＡに基づいて広帯域のＡＰ２ａの通信エリアから狭帯域のＡＰ２ｂの通信エリアへ移動したことを認識する。すなわち、移動端末１はＡＰ２ｂからＣｏＡを割り当てられることによって端末３Ｘ〜３Ｚと行なうデータ通信の処理能力が低下したことを検出する。また、移動端末１は、ＡＰ２ｂからＣｏＡを割り当てられると、その確認応答としてＡＣＫ（Acknowledgment）をＡＰ２ｂに送信する（４）。ＣｏＡは、移動先のネットワーク（ＡＰ２ｂ）での新たなアドレスであり、ＨＡ４はＣｏＡに基づいてＡＰ２ｂ内の移動端末１と通信を行う。
【００３０】
移動端末１は、ＡＰ２ｂを介してＨＡ４に送信する「Binding Update」（Binding Update（ＨｏＡ，ＣｏＡ））によって、ＨＡ４から移動端末１に割り当てられているＨｏＡとＣｏＡをＨＡ４に登録させる。ここでの「Binding Update」は、移動端末１のＨｏＡとＣｏＡの対応付けに関する情報を含んでおり、所定のタイミングで移動端末１からＨＡ４に「Binding Update」を送信することによってＨＡ４にBinding情報を更新させる。ＨＡ４は、移動端末１から「Binding Update」を受信すると、その確認応答として「Binding Acknowledgment」を移動端末１に送信する（５）。
【００３１】
移動端末１は、ＡＰ２ａの通信エリアからＡＰ２ｂの通信エリアへ移動したことによって、データ通信の通信帯域が狭まり、全てのセッションを円滑に処理することが困難となる。このため、移動端末１はデータ通信の処理能力の低下に応じて、通信を切断したくないリアルタイム通信を行っている端末３Ｘには「Binding Update」（Binding Update（ＣｏＡ））によってＣｏＡを通知し、移動端末１との通信を継続させる。この時、端末３Ｘは移動端末１から「Binding Update」を受信すると、その確認応答として「Binding Acknowledgment」を移動端末１に送信する（６）。
【００３２】
また、移動端末１は通信を継続するのが困難な端末３Ｙと端末３Ｚには、移動端末１と端末３Ｙ，３Ｚが通信しているデータを端末３Ｙ，３Ｚから端末３Ｗに転送させるための指示情報（送信指示情報）を含んだ「Binding Update」（Binding Update（Ｓｅｃｏｎｄ  ＩＰ））を送信する。ここでの「Binding Update」は、移動端末１と端末３Ｙ，３Ｚが通信しているデータを端末３Ｙ，３Ｚから端末３Ｗに転送させるための指示情報とともに、端末３Ｗを識別するための識別情報（端末３Ｗの宛先アドレス等）を含んでいる。端末３Ｙ，３Ｚは、移動端末１から「Binding Update」を受信すると、その確認応答として「Binding Acknowledgment」を移動端末１に送信する（（７），（９））。
【００３３】
移動端末１は、通信を継続するのが困難な非リアルタイム通信によるデータの転送先である端末３Ｗに対し、移動端末１と端末３Ｙ、移動端末１と端末３Ｚで行っている通信を継続することが困難なデータ通信（非リアルタイム通信）に関する情報「Session Info」を通知する。端末３Ｗは、移動端末１から「Session Info」を受信すると、その確認応答「ＯＫ」を移動端末１に送信する（８）。
【００３４】
端末３Ｗと端末３Ｙ，３Ｚは、移動端末１から受信した情報に基づいて端末３Ｗと端末３Ｙの間、端末３Ｗと端末３Ｚの間でデータ通信を行う。すなわち、端末３Ｙ，３Ｚは移動端末１に送信するデータを端末３Ｗに送信し、端末３Ｗは端末３Ｙ，３Ｚからのデータ（一時記憶データ）を一時的に記憶しておく。端末３Ｙ，３Ｚから端末３Ｗへデータを転送する際には、データ通信をリスタートして転送させる。すなわち、端末３Ｙ，３Ｚから端末３Ｗへのデータは最初のデータから送信を行なう。このとき移動端末１と各端末３Ｘ〜３Ｚ間で通信接続を行なうための所定の認識処理を行っている。
【００３５】
この後、移動端末１は端末３Ｙ，３Ｚから端末３Ｗに送信されたデータを端末３Ｗから受信する。端末３Ｙ，３Ｚから端末３Ｗへのデータ通信（データの転送）が完了し、移動端末１のリアルタイム通信が完了すると、移動端末１は端末３Ｗに所望の非リアルタイム通信に関する情報を通知する。端末３Ｗは、移動端末１から非リアルタイム通信に関する情報を受信すると、端末３Ｙ，３Ｚから受信した非リアルタイム通信であって移動端末１から要求されたデータを移動端末１に送信する。移動端末１は、端末３Ｗから非リアルタイム通信のデータを受信し、このデータ（ファイル）をマージする。
【００３６】
移動端末１は、狭帯域（ＡＰ２ｂ）の通信システムから広帯域（ＡＰ２ａ）の通信システムにハンドオーバした際に端末３Ｗから非リアルタイム通信のデータを受信してもよいし、移動端末１が狭帯域のＡＰ２ｂにアクセスしている場合であってもリアルタイム通信等が完了し、非リアルタイム通信を行なっても全てのセッションを円滑に処理することが可能になると判断した場合に端末３Ｗから非リアルタイム通信のデータを受信してもよい。また、移動端末１は帯域幅、移動端末１の処理能力、非リアルタイム通信の通信トラヒック等に応じて端末３Ｗが記憶する複数の非リアルタイム通信のデータから所定の非リアルタイム通信のデータを選択的に受信してもよい。
【００３７】
このように、移動端末１のハンドオーバに伴って、移動端末１が端末３Ｙ，３Ｚと通信しているデータを端末３Ｙ，３Ｚから端末３Ｗに転送させるための指示情報や端末３Ｗの宛先アドレスを含んだ「Binding Update」を端末３Ｙ，３Ｚに送信するので、端末３Ｙ，３Ｚは移動端末１に送信していたデータを端末３Ｗに送信することが可能となる。
【００３８】
これにより、移動端末１は狭帯域の無線システム内で低速な通信を続ける必要がなくなる。また、狭帯域の無線システム内で移動端末１へ送信するためデータのデータ通信を止める必要がなくなる。また、移動端末１は狭帯域の無線システム内でコーデック変換などの通信コンテンツの変更をすることなく既存のモバイルＩＰの枠組みで通信を行うことが可能となる。また、移動端末１は狭帯域の無線システム内においてもＨＡ４を改修することなく既存のモバイルＩＰの枠組みで通信を行うことが可能となる。
【００３９】
なお、本実施の形態１においては、移動端末１がリアルタイム通信、非リアルタイム通信を区別して端末３Ｗへの転送処理または移動端末１との通信の継続を行うこととしたが、リアルタイム通信、非リアルタイム通信の区別に限られず、データ通信の処理能力の低下に応じていずれの通信に対して端末３Ｗへの転送処理と通信の継続を行うかを設定しておき、この設定に基づいて通信毎に端末３Ｗへの転送処理と通信の継続処理のいずれかを行なうこととしてもよい。また、移動端末１のハンドオーバの際に、移動端末１の使用者が各通信に対して端末３Ｗへの転送処理と通信の継続処理のうちいずれの処理を行うかを選択することとしてもよい。
【００４０】
なお、移動端末１から端末３Ｙ，３Ｚに送信する「Binding Update」（Ｓｅｃｏｎｄ  ＩＰ）に、端末３Ｙ，３Ｚから端末３Ｗにデータ転送させるための指示情報を含めることとしたが、この「Binding Update」に端末３Ｙ，３Ｚから端末３Ｗにデータ転送させるための指示情報を含めない場合は、端末３Ｙ，３Ｚが端末３Ｗの宛先アドレスを含む「Binding Update」を受信した場合に端末３Ｗにデータ転送するよう端末３Ｙ，３Ｚを設定しておく。
【００４１】
このように実施の形態１によれば、移動端末１が広帯域の無線システムから狭帯域の無線システムへハンドオーバした際に所定のデータを選択的に端末３Ｗに転送することができ、移動端末１が既存のモバイルＩＰの枠組みで効率良く通信を行うことが可能となる。また、移動端末１が広帯域の無線システムから狭帯域の無線システムへハンドオーバした際に通信中のデータを転送することとデータ通信の継続を平行して行なうことが可能となる。
【００４２】
実施の形態２．
本実施の形態２においては、移動端末１は最初にＡＰ２ａにアクセスした後、移動してＡＰ２ｂにアクセスする。そして、移動端末１が端末３Ｗに対して所定の情報（通信継続の困難な端末３Ｙ，３Ｚとの通信に関する情報）を送信し、端末３Ｗが端末３Ｙ，３Ｚに対して所定の指示情報（端末３Ｙ，３Ｚが移動端末１に送信しているデータを端末３Ｙ，３Ｚから端末３Ｗに転送させるための指示情報）を送信する。本実施の形態２においても図１に示す実施の形態１と同様のモバイルＩＰネットワーク上で移動端末１等が通信を行なう。なお、本実施の形態２においては実施の形態１と同様の処理である確認応答処理（「ＡＣＫ」、「Binding Acknowledgment」等）の説明を省略している。
【００４３】
図４は、実施の形態２に係るモバイルＩＰ通信処理の概念を説明するための概念図である。移動端末１は、最初にＡＰ２ａを介して端末３Ｘとリアルタイム通信をするとともにＡＰ２ａを介して端末３Ｙ，３Ｚと非リアルタイム通信を行なっている。移動端末１がＡＰ２ａの通信エリアからＡＰ２ｂの通信エリアに移動すると、移動端末１はＡＰ２ｂからＣｏＡが割り当てられる（ＳＴ１１）。
【００４４】
移動端末１は、ＡＰ２ｂからＣｏＡを割り当てられると、ＡＰ２ｂからのＣｏＡに基づいて広帯域のＡＰ２ａの通信エリアから狭帯域のＡＰ２ｂの通信エリアへ移動したことを認識する。移動端末１は、ＣｏＡとＨＡ４から移動端末１に割り当てられているＨｏＡをＨＡ４に登録させる（ＳＴ１２）。
【００４５】
移動端末１は、ＡＰ２ａからＡＰ２ｂへ移動したことによって、データ通信の通信帯域が狭くなり、全てのセッションを円滑に処理することが困難となる。このため、移動端末１は通信を切断したくないリアルタイム通信を行っている端末３ＸにＣｏＡを通知する（ＳＴ１３）。
【００４６】
移動端末１は、端末３Ｗに対し、移動端末１と端末３Ｙ、移動端末１と端末３Ｚで行っている通信を継続することが困難な非リアルタイム通信に関する情報を通知する（ＳＴ１４）。
【００４７】
端末３Ｗは、通信を継続するのが困難な端末３Ｙと端末３Ｚに対し、移動端末１が端末３Ｙや端末３Ｚに通信しているデータを端末３Ｙ，３Ｚから端末３Ｗに転送させるための指示情報、端末３Ｗの宛先アドレス等を含んだ情報を送信する（ＳＴ１５）。
【００４８】
この後、端末３Ｙ，３Ｚは、端末３Ｗから受信した情報に基づいて端末３Ｗと端末３Ｙの間、端末３Ｗと端末３Ｚの間でデータ通信を行う。このとき、端末３Ｗは移動端末１からの情報に基づいて端末３Ｙ，３Ｚとデータ通信を行う。すなわち、端末３Ｙ，３Ｚは移動端末１に送信するデータを端末３Ｗに送信する。また、端末３Ｘは移動端末１からのＣｏＡに基づき、ＡＰ２ｂを介して移動端末１との通信を継続する（ＳＴ１６）。
【００４９】
図５は、実施の形態２に係るモバイルＩＰ通信方法の処理手順を示すシーケンス図である。移動端末１は、最初にＡＰ２ａにアクセスし、ＨＡ４を介して端末３Ｘとリアルタイム通信をするとともにＨＡ４を介して端末３Ｙ，３Ｚと非リアルタイム通信を行なっている。すなわち、移動端末１は端末３Ｘ〜３Ｚとデータ（Ｄａｔａ）通信を行っている（（１１）〜（１３））。
【００５０】
移動端末１がＡＰ２ａの通信エリアからＡＰ２ｂの通信エリアに移動し、ＡＰ２ａからＡＰ２ｂへのハンドオーバが起こる。移動端末１がＡＰ２ｂにアクセスすると、移動端末１はＡＰ２ｂからＣｏＡが割り当てられる。
【００５１】
移動端末１は、ＡＰ２ｂからＣｏＡを割り当てられると、ＡＰ２ｂからのＣｏＡに基づいて広帯域のＡＰ２ａの通信エリアから狭帯域のＡＰ２ｂの通信エリアへ移動したことを認識する（１４）。
【００５２】
移動端末１は、ＡＰ２ｂを介してＨＡ４に送信する「Binding Update」（Binding Update（ＨｏＡ，ＣｏＡ））によって、ＣｏＡおよびＨＡ４から移動端末１に割り当てられているＨｏＡをＨＡ４に登録させる（１５）。
【００５３】
移動端末１は、ＡＰ２ａからＡＰ２ｂへ移動したことによって、データ通信の通信帯域が狭まり、全てのセッションを円滑に処理することが困難となる。このため、移動端末１は通信を切断したくないリアルタイム通信を行っている端末３Ｘには「Binding Update」（Binding Update（ＣｏＡ））によってＣｏＡを通知して移動端末１との通信を継続させる（１６）。
【００５４】
移動端末１は、非リアルタイム通信によるデータの転送先である端末３Ｗに対し、移動端末１と端末３Ｙ、移動端末１と端末３Ｚで行っている非リアルタイム通信に関する情報「Session Info」を通知する（１７）。
【００５５】
また、端末３Ｗは通信を継続するのが困難な端末３Ｙと端末３Ｚに対し、移動端末１が端末３Ｙ，３Ｚと通信しているデータを端末３Ｙ，３Ｚから端末３Ｗに転送させるための指示情報や端末３Ｗの宛先アドレス等を含んだ「Binding Update」（Binding Update（Ｓｅｃｏｎｄ  ＩＰ））を送信する（（１８）、（１９））。
【００５６】
この後、端末３Ｙ，３Ｚは、端末３Ｗから受信した情報に基づいて端末３Ｗと端末３Ｙの間、端末３Ｗと端末３Ｚの間でデータ通信を行う。このとき、端末３Ｗは移動端末１からの情報に基づいて端末３Ｙ，３Ｚとデータ通信を行う。すなわち、端末３Ｙ，３Ｚは移動端末１に送信するデータを端末３Ｗに転送する。この後、移動端末１は端末３Ｙ，３Ｚから端末３Ｗに送信されたデータを実施の形態１と同様の処理によって端末３Ｗから受信する。
【００５７】
このように、移動端末１のハンドオーバに伴って、移動端末１が端末３Ｙ，３Ｚと通信しているデータを端末３Ｙ，３Ｚから端末３Ｗに転送させるための指示情報を端末３Ｗに送信するとともに、端末３Ｗが移動端末１と端末３Ｙ，３Ｚで通信しているデータを端末３Ｙ，３Ｚから端末３Ｗに転送させるための指示情報、端末３Ｗの宛先アドレスを含んだ「Binding Update」を端末３Ｙ，３Ｚに送信するので、端末３Ｙ，３Ｚは移動端末１に送信していたデータを端末３Ｗに送信することが可能となる。
【００５８】
このように実施の形態２によれば、移動端末１が広帯域の無線システムから狭帯域の無線システムへハンドオーバした際に、移動端末１が端末３Ｗに対して所定の指示情報を送信するだけで通信を継続することが困難な所定のデータを選択的に転送することが可能となる。したがって、移動端末１のハンドオーバに伴って通信を継続することが困難な端末が複数ある場合であっても、移動端末１が既存のモバイルＩＰの枠組み内の少ない処理で効率良く通信を行うことが可能となる。また、端末３Ｗが移動端末１と端末３Ｙ，３Ｚで通信しているデータを端末３Ｙ，３Ｚから端末３Ｗに転送させるための指示情報を端末３Ｙ，３Ｚに送信するため、移動端末１、ＨＡ４のデータ転送のための負荷を軽減することが可能となる。
【００５９】
実施の形態３．
本実施の形態３においては、移動端末１は最初にＡＰ２ａにアクセスした後、移動してＡＰ２ｂにアクセスする。そして、移動端末１が端末３Ｗに対して所定の情報（通信継続の困難な端末３Ｙ，３Ｚとの通信に関する情報）を送信するとともに、移動端末１がＨＡ４に対して所定の指示情報（端末３Ｙ，３Ｚが移動端末１に送信しているデータを端末３Ｙ，３ＺからＨＡ４に転送させるための指示情報）を送信する。端末３Ｙ，３Ｚは、ＨＡ４からの指示情報に基づいて移動端末１に送信するためのデータをＨＡ４を介して端末３Ｗに送信する。本実施の形態３においても図１に示す実施の形態１と同様のモバイルＩＰネットワーク上で移動端末１等が通信を行なう。
【００６０】
図６は、実施の形態３に係るモバイルＩＰ通信処理の概念を説明するための概念図である。移動端末１は、最初にＡＰ２ａを介して端末３Ｘとリアルタイム通信をするとともにＡＰ２ａを介して端末３Ｙ，３Ｚと非リアルタイム通信を行なっている。移動端末１がＡＰ２ａの通信エリアからＡＰ２ｂの通信エリアに移動すると、移動端末１はＡＰ２ｂからＣｏＡが割り当てられる（ＳＴ２１）。
【００６１】
移動端末１は、ＡＰ２ｂからＣｏＡを割り当てられると、ＡＰ２ｂからのＣｏＡに基づいて広帯域のＡＰ２ａの通信エリアから狭帯域のＡＰ２ｂの通信エリアへ移動したことを認識する。移動端末１は、ＨＡ４から移動端末１に割り当てられているＨｏＡとＣｏＡをＨＡ４に登録させる（ＳＴ２２）。
【００６２】
移動端末１は、ＡＰ２ａからＡＰ２ｂへ移動したことによって、データ通信の通信帯域が狭くなり、全てのセッションを円滑に処理することが困難となる。このため、移動端末１は通信を切断したくないリアルタイム通信を行っている端末３ＸにＣｏＡを通知する（ＳＴ２３）。
【００６３】
移動端末１は、端末３Ｗに対し移動端末１と端末３Ｙ、移動端末１と端末３Ｚで行っている通信を継続することが困難な非リアルタイム通信に関する情報を通知する（ＳＴ２４）。
【００６４】
移動端末１は、移動端末１と端末３Ｙ，３Ｚが通信しているデータを端末３Ｙ，３ＺからＨＡ４を介して端末３Ｗに転送させるための指示情報、端末３Ｗの宛先アドレス等を含んだ情報をＨＡ４に送信する（ＳＴ２５）。
【００６５】
ＨＡ４は、移動端末１と端末３Ｙ，３Ｚが通信しているデータを端末３Ｙ，３ＺからＨＡ４に送信させるための指示情報を含んだ情報を端末３Ｙ，３Ｚに送信する（ＳＴ２６）。
【００６６】
端末３Ｘは移動端末１からのＣｏＡに基づき、ＡＰ２ｂを介して移動端末１との通信を継続する。端末３Ｙ，３Ｚは、ＨＡ４から受信した情報に基づいてＨＡ４と端末３Ｙの間、ＨＡ４と端末３Ｚの間でデータ通信を行う。このとき、ＨＡ４は移動端末１からの情報に基づいて端末３Ｙ，３Ｚとデータ通信を行う。すなわち、端末３Ｙ，３Ｚは移動端末１に送信するデータをＨＡ４に送信する。ＨＡ４は、端末３Ｙ，３Ｚから移動端末１へ送信するためのデータを受信する。ＨＡ４は、端末３Ｙ，３Ｚから受信した移動端末１へ送信するためのデータを端末３Ｗに転送する（ＳＴ２７）。
【００６７】
図７は、実施の形態３に係るモバイルＩＰ通信方法の処理手順を示すシーケンス図である。移動端末１は、最初にＡＰ２ａにアクセスし、ＨＡ４を介して端末３Ｘとリアルタイム通信をするとともにＨＡ４を介して端末３Ｙ，３Ｚと非リアルタイム通信を行なっている。すなわち、移動端末１は端末３Ｘ〜３Ｚとデータ通信を行っている（（２１）〜（２３））。
【００６８】
移動端末１がＡＰ２ａの通信エリアからＡＰ２ｂの通信エリアに移動し、ＡＰ２ａからＡＰ２ｂへのハンドオーバが起こる。移動端末１がＡＰ２ｂにアクセスすると、移動端末１はＡＰ２ｂからＣｏＡが割り当てられる。
【００６９】
移動端末１は、ＡＰ２ｂからＣｏＡを割り当てられると、ＡＰ２ｂからのＣｏＡに基づいて広帯域のＡＰ２ａの通信エリアから狭帯域のＡＰ２ｂの通信エリアへ移動したことを認識する（２４）。
【００７０】
移動端末１は、ＡＰ２ｂを介してＨＡ４に送信する「Binding Update」（Binding Update（ＨｏＡ，ＣｏＡ））によって、ＣｏＡおよびＨＡ４から移動端末１に割り当てられているＨｏＡをＨＡ４に登録させる（２５）。
【００７１】
移動端末１は、ＡＰ２ａからＡＰ２ｂへ移動したことによって、データ通信の通信帯域が狭まり、全てのセッションを円滑に処理することが困難となる。このため、移動端末１は通信を切断したくないリアルタイム通信を行っている端末３Ｘには「Binding Update」（Binding Update（ＣｏＡ））によってＣｏＡを通知して移動端末１との通信を継続させる（２６）。
【００７２】
移動端末１は、移動端末１と端末３Ｙ，３Ｚが通信しているデータを端末３Ｙ，３ＺからＨＡ４を介して端末３Ｗに転送させるための指示情報を含んだ「Binding Update」（Binding Update（Ｓｅｃｏｎｄ  ＩＰ））をＨＡ４に送信する（２７）。
【００７３】
移動端末１は、非リアルタイム通信によるデータの転送先である端末３Ｗに対し、移動端末１と端末３Ｙ、移動端末１と端末３Ｚで行っている非リアルタイム通信に関する情報「Session Info」を通知する（２８）。
【００７４】
ＨＡ４は、移動端末１と端末３Ｙや端末３Ｚが通信しているデータをＨＡ４に送信させるための指示情報を含んだ「Binding Update」を端末３Ｙ，３Ｚに送信する（（２９）、（３０））。
【００７５】
この後、端末３Ｘは移動端末１からのＣｏＡに基づいて移動端末１との通信を継続する（３１）。また、端末３Ｙ，３Ｚは、ＨＡ４から受信した情報に基づいてＨＡ４と端末３Ｙの間、ＨＡ４と端末３Ｚの間でデータ通信を行う。このとき、ＨＡ４は移動端末１からの情報に基づいて端末３Ｙ，３Ｚとデータ通信を行う。すなわち、端末３Ｙ，３Ｚは移動端末１に送信するデータをＨＡ４に送信する（（３２）、（３４））。
【００７６】
そして、ＨＡ４は端末３Ｙ，３Ｚからのデータを端末３Ｗに転送する（（３３）、（３５））。この後、移動端末１は端末３Ｙ，３Ｚから端末３Ｗに送信されたデータを実施の形態１と同様の処理によって端末３Ｗから受信する。
【００７７】
このように、移動端末１のハンドオーバに伴って、移動端末１が端末３Ｙや端末３Ｚに通信しているデータを端末３Ｗに転送させるための指示情報をＨＡ４に送信し、ＨＡ４が端末３Ｗの宛先アドレスを含んだ「Binding Update」を端末３Ｙ，３Ｚに送信するので、端末３Ｙ，３Ｚは移動端末１に送信していたデータを端末３Ｗに送信することが可能となる。
【００７８】
このように実施の形態３によれば、移動端末１が広帯域の無線システムから狭帯域の無線システムへハンドオーバした際に、移動端末１がＨＡ４に対して所定の指示情報を送信するだけで通信を継続することが困難な所定のデータを選択的に転送することが可能となる。したがって、移動端末１のハンドオーバに伴って通信を継続することが困難な端末がある複数ある場合であっても、移動端末１が既存のモバイルＩＰの枠組み内の少ない処理で効率良く通信を行うことが可能となる。また、ＨＡ４が移動端末１と端末３Ｙ，３Ｚで通信しているデータを端末３Ｙ，３Ｚから端末３Ｗに転送させるための指示情報を端末３Ｙ，３Ｚに送信するため、移動端末１、端末３Ｗのデータ転送のための負荷を軽減することが可能となる。
【００７９】
実施の形態４．
本実施の形態４においては、移動端末１は最初にＡＰ２ａにアクセスした後、移動してＡＰ２ｂにアクセスする。そして、移動端末１が端末３Ｗに対して所定の情報（通信継続の困難な端末３Ｙ，３Ｚとの通信に関する情報）を送信するとともに、端末３ＷがＨＡ４に対して所定の指示情報（端末３Ｙ，３Ｚが移動端末１に送信しているデータを端末３Ｙ，３ＺからＨＡ４に転送させるための指示情報）を送信する。端末３Ｙ，３Ｚは、ＨＡ４からの指示情報に基づいて移動端末１に送信するためのデータをＨＡ４を介して端末３Ｗに送信する。本実施の形態４においても図１に示す実施の形態１と同様のモバイルＩＰネットワーク上で移動端末１等が通信を行なう。
【００８０】
図８は、実施の形態４に係るモバイルＩＰ通信処理の概念を説明するための概念図である。移動端末１は、最初にＡＰ２ａを介して端末３Ｘとリアルタイム通信を行なうとともにＡＰ２ａを介して端末３Ｙ，３Ｚと非リアルタイム通信を行なっている。移動端末１がＡＰ２ａの通信エリアからＡＰ２ｂの通信エリアに移動すると、移動端末１はＡＰ２ｂからＣｏＡが割り当てられる（ＳＴ４１）。
【００８１】
移動端末１は、ＡＰ２ｂからＣｏＡを割り当てられると、ＡＰ２ｂからのＣｏＡに基づいて広帯域のＡＰ２ａの通信エリアから狭帯域のＡＰ２ｂの通信エリアへ移動したことを認識する。移動端末１は、ＨＡ４から移動端末１に割り当てられているＨｏＡとＣｏＡをＨＡ４に登録させる（ＳＴ４２）。
【００８２】
移動端末１は、ＡＰ２ａからＡＰ２ｂへ移動したことによって、データ通信の通信帯域が狭くなり、全てのセッションを円滑に処理することが困難となる。このため、移動端末１は通信を切断したくないリアルタイム通信を行っている端末３ＸにＣｏＡを通知する（ＳＴ４３）。
【００８３】
移動端末１は、端末３Ｗに対し移動端末１と端末３Ｙ、移動端末１と端末３Ｚで行っている通信を継続することが困難な非リアルタイム通信に関する情報を通知する（ＳＴ４４）。
【００８４】
端末３Ｗは、移動端末１と端末３Ｙ，３Ｚが通信しているデータをＨＡ４を介して端末３Ｗに転送させるための指示情報、端末３Ｗの宛先アドレス等を含んだ情報をＨＡ４に送信する（ＳＴ４５）。ＨＡ４は、移動端末１が端末３Ｙ，３Ｚが通信しているデータをＨＡ４に送信させるための指示情報を端末３Ｙ，３Ｚに送信する（ＳＴ４６）。
【００８５】
この後、端末３Ｙ，３Ｚは、ＨＡ４から受信した情報に基づいてＨＡ４と端末３Ｙの間、ＨＡ４と端末３Ｚの間でデータ通信を行う。このとき、ＨＡ４は移動端末１からの情報に基づいて端末３Ｙ，３Ｚとデータ通信を行う。すなわち、端末３Ｙ，３Ｚは移動端末１に送信するデータをＨＡ４に送信する。そして、ＨＡ４は端末３Ｙ，３Ｚから移動端末１へ送信するためのデータを受信し、受信したデータを端末３Ｗに転送する（ＳＴ４７）。また、端末３Ｘは移動端末１からのＣｏＡに基づいて移動端末１との通信を継続する。
【００８６】
図９は、実施の形態４に係るモバイルＩＰ通信方法の処理手順を示すシーケンス図である。移動端末１は、最初にＡＰ２ａにアクセスし、ＨＡ４を介して端末３Ｘとリアルタイム通信をするとともにＨＡ４を介して端末３Ｙ，３Ｚと非リアルタイム通信を行なっている。すなわち、移動端末１は端末３Ｘ〜３Ｚとデータ通信を行っている（（４１）〜（４３））。
【００８７】
移動端末１がＡＰ２ａの通信エリアからＡＰ２ｂの通信エリアに移動し、ＡＰ２ａからＡＰ２ｂへのハンドオーバが起こる。移動端末１がＡＰ２ｂにアクセスすると、移動端末１はＡＰ２ｂからＣｏＡが割り当てられる。
【００８８】
移動端末１は、ＡＰ２ｂからＣｏＡを割り当てられると、ＡＰ２ｂからのＣｏＡに基づいて広帯域のＡＰ２ａの通信エリアから狭帯域のＡＰ２ｂの通信エリアへ移動したことを認識する（４４）。
【００８９】
移動端末１は、ＡＰ２ｂを介してＨＡ４に送信する「Binding Update」（Binding Update（ＨｏＡ，ＣｏＡ））によって、ＣｏａおよびＨＡ４から移動端末１に割り当てられているＨｏＡをＨＡ４に登録させる（４５）。
【００９０】
移動端末１は、ＡＰ２ａからＡＰ２ｂへ移動したことによって、データ通信の通信帯域が狭まり、全てのセッションを円滑に処理することが困難となる。このため、移動端末１は通信を切断したくないリアルタイム通信を行っている端末３Ｘには「Binding Update」（Binding Update（ＣｏＡ））によってＣｏＡを通知して移動端末１との通信を継続させる（４６）。
【００９１】
移動端末１は、通信を継続するのが困難な非リアルタイム通信によるデータの転送先である端末３Ｗに対し、移動端末１と端末３Ｙ、移動端末１と端末３Ｚで行っている通信を継続することが困難なデータ通信に関する情報「Session Info」を通知する（４７）。
【００９２】
端末３Ｗは、移動端末１と端末３Ｙ，３Ｚが通信しているデータをＨＡ４を介して端末３Ｗに転送させるための指示情報を含んだ「Binding Update」（Binding Update（Ｓｅｃｏｎｄ  ＩＰ））をＨＡ４に送信する（４８）。
【００９３】
ＨＡ４は、移動端末１と端末３Ｙや端末３Ｚが通信しているデータをＨＡ４に送信させるための指示情報を含んだ「Binding Update」を端末３Ｙ，３Ｚに送信する（（４９）、（５０））。
【００９４】
この後、端末３Ｘは移動端末１からのＣｏＡに基づき、ＡＰ２ｂを介して移動端末１との通信を継続する（５１）。また、端末３Ｙ，３Ｚは、ＨＡ４から受信した情報に基づいてＨＡ４と端末３Ｙの間、ＨＡ４と端末３Ｚの間でデータ通信を行う。このとき、ＨＡ４は移動端末１からの情報に基づいて端末３Ｙ，３Ｚとデータ通信を行う。すなわち、端末３Ｙ，３Ｚは移動端末１に送信するデータをＨＡ４に送信する（（５２）、（５４））。
【００９５】
ＨＡ４は、端末３Ｙ，３Ｚからのデータを端末３Ｗに転送する（（５３）、（５５））。この後、移動端末１は端末３Ｙ，３Ｚから端末３Ｗに送信されたデータを実施の形態１と同様の処理によって端末３Ｗから受信する。
【００９６】
このように、移動端末１のハンドオーバに伴って、移動端末１が端末３Ｙや端末３Ｚに通信しているデータを端末３Ｗに転送させるための指示情報を端末３Ｗに送信するとともに、端末３Ｗが端末３Ｗの宛先アドレスを含む情報をＨＡ４に送信し、ＨＡ４が端末３Ｗの宛先アドレスを含んだ「Binding Update」を端末３Ｙ，３Ｚに送信するので、端末３Ｙ，３Ｚは移動端末１に送信していたデータを端末３Ｗに送信することが可能となる。
【００９７】
このように実施の形態４によれば、移動端末１が広帯域の無線システムから狭帯域の無線システムへハンドオーバした際に、移動端末１が端末３Ｗに対して所定の指示情報を送信するだけで通信を継続することが困難な所定のデータを選択的に転送することが可能となる。したがって、移動端末１のハンドオーバに伴って通信を継続することが困難な端末がある複数ある場合であっても、移動端末１が既存のモバイルＩＰの枠組み内の少ない処理で効率良く通信を行うことが可能となる。また、ＨＡ４が移動端末１と端末３Ｙ，３Ｚで通信しているデータを端末３Ｙ，３Ｚから端末３Ｗに転送させるための指示情報を端末３Ｙ，３Ｚに送信するため、移動端末１のデータ転送のための負荷を軽減することが可能となる。
【００９８】
実施の形態５．
本実施の形態５においては、端末３Ｘとリアルタイム通信および非リアルタイム通信を行っている移動端末１がＡＰ２ａからＡＰ２ｂに移動してハンドオーバする。そして、移動端末１から端末３Ｗに対し、通信継続の困難なデータ通信に関する情報を送信する。本実施の形態５においても図１に示す実施の形態１と同様のモバイルＩＰネットワーク上で移動端末１等が通信を行なう。
【００９９】
図１０は、実施の形態５に係るモバイルＩＰ通信処理の概念を説明するための概念図である。移動端末１は、ＡＰ２ａを介して端末３Ｘとリアルタイム通信（Ａ）および非リアルタイム通信（Ｂ）を行なっている。移動端末１がＡＰ２ａの通信エリアからＡＰ２ｂの通信エリアに移動すると、移動端末１はＡＰ２ｂからＣｏＡが割り当てられる（ＳＴ６１）。
【０１００】
移動端末１は、ＡＰ２ｂからＣｏＡを割り当てられると、ＡＰ２ｂからのＣｏＡに基づいて広帯域のＡＰ２ａの通信エリアから狭帯域のＡＰ２ｂの通信エリアへ移動したことを認識する。移動端末１は、ＣｏＡとＨＡ４から移動端末１に割り当てられているＨｏＡをＨＡ４に登録させる（ＳＴ６２）。
【０１０１】
移動端末１は、ＡＰ２ａからＡＰ２ｂへ移動したことによって、データ通信の通信帯域が狭まり、全てのセッションを円滑に処理することが困難となる。移動端末１は、端末３Ｗに対し移動端末１と端末３Ｘで行っている通信を継続することが困難な非リアルタイム通信のセッションに関する情報を通知する（ＳＴ６３）。ここでの、非リアルタイム通信のセッションに関する情報は、移動端末１が端末３Ｘとの間で非リアルタイム通信を行なっていたＰｏｒｔ番号などの情報を含んでいる。
【０１０２】
移動端末１は通信を切断したくないリアルタイム通信を継続させるため、通信を継続させるセッションを識別する情報（通信を継続させるＴＣＰ  Ｐｏｒｔ番号等とＣｏＡ）を端末３Ｘに通知する（ＳＴ６４）。
【０１０３】
また、移動端末１は通信を継続することが困難な非リアルタイム通信に対して所定のデータ転送を行なわせるため、通信を継続させないセッションを識別する情報（通信を継続させずにデータ転送を行なわせる移動端末１のＴＣＰ  Ｐｏｒｔ番号等と端末３Ｗの宛先アドレス）を端末３Ｘに通知する（ＳＴ６５）。
【０１０４】
この後、端末３Ｘは移動端末１から受信した情報（ＣｏＡなど）に基づいて、通信を継続させるＴＣＰ  Ｐｏｒｔ番号のＰｏｒｔによるリアルタイム通信のデータ通信を継続する（ＳＴ６６）。また、端末３Ｗと端末３Ｘは、移動端末１から受信した情報に基づいて、通信を継続させずにデータ転送を行なわせる移動端末１のＴＣＰ  Ｐｏｒｔ番号のＰｏｒｔによって通信していた非リアルタイム通信のデータを送受信する（ＳＴ６７）。この後、移動端末１は端末３Ｘから端末３Ｗに送信されたデータを端末３Ｗから受信する。
【０１０５】
図１１は、実施の形態５に係るモバイルＩＰ通信方法の処理手順を示すシーケンス図である。移動端末１は、ＡＰ２ａにアクセスしＨＡ４を介して端末３Ｘとリアルタイム通信および非リアルタイム通信を行なっている（（６１）、（６２））。ここでは、移動端末１がＴＣＰ  ＰｏｒｔＡによって端末３Ｘとリアルタイム通信を行い、ＴＣＰ  ＰｏｒｔＢによって端末３Ｘと非リアルタイム通信を行う場合について説明する。
【０１０６】
移動端末１がＡＰ２ａの通信エリアからＡＰ２ｂの通信エリアに移動し、ＡＰ２ａからＡＰ２ｂへのハンドオーバが起こる。移動端末１がＡＰ２ｂにアクセスすると、移動端末１はＡＰ２ｂからＣｏＡが割り当てられる。
【０１０７】
移動端末１は、ＡＰ２ｂからＣｏＡを割り当てられると、ＡＰ２ｂからのＣｏＡに基づいて広帯域のＡＰ２ａの通信エリアから狭帯域のＡＰ２ｂの通信エリアへ移動したことを認識する（６３）。
【０１０８】
移動端末１は、ＡＰ２ｂを介してＨＡ４に送信する「Binding Update」（Binding Update（ＨｏＡ，ＣｏＡ））によって、ＨＡ４から移動端末１に割り当てられているＨｏＡとＣｏＡをＨＡ４に登録させる（６４）。
【０１０９】
移動端末１は、ＡＰ２ａからＡＰ２ｂへ移動したことによって、データ通信の通信帯域が狭まり、全てのセッションを円滑に処理することが困難となる。移動端末１は通信を切断したくないリアルタイム通信を継続させるため、拡張したBinding Update（Binding Update（ＣｏＡ，ＰｏｒｔＡ））によってセッションを識別する情報（通信を継続させるＴＣＰ  Ｐｏｒｔ番号等とＣｏＡ）を端末３Ｘに通知する（６５）。
【０１１０】
端末３Ｘは、セッションを識別する情報として通信を継続させるＴＣＰ  Ｐｏｒｔ番号等とＣｏＡを含む情報を移動端末１から受信すると、このＴＣＰ  Ｐｏｒｔ番号によるデータ通信を継続させると判断する。
【０１１１】
また、移動端末１は通信を継続することが困難な非リアルタイム通信に対して所定のデータ転送を行なわせるため、拡張したBinding Update（Binding Update（Ｓｅｃｏｎｄ  ＩＰ，ＰｏｒｔＢ））によってセッションを識別する情報（通信を継続させずにデータ転送を行なわせるＴＣＰ  Ｐｏｒｔ番号等と端末３Ｗの宛先アドレス）を端末３Ｘに通知する（６７）。
【０１１２】
端末３Ｘは、セッションを識別する情報として通信を継続させるＴＣＰ  Ｐｏｒｔ番号等と端末３Ｗの宛先アドレス含む情報を移動端末１から受信すると、このＴＣＰ  Ｐｏｒｔ番号によるデータを端末３Ｗの宛先アドレスに転送させると判断する。
【０１１３】
また、移動端末１は非リアルタイム通信に対してデータ転送を行う端末３Ｗに移動端末１と端末３Ｘの非リアルタイム通信に関する情報「Session Info」を通知する（６６）。端末３Ｘは、移動端末１から受信した情報（ＣｏＡなど）に基づいてＰｏｒｔＡによるリアルタイム通信のデータ通信を継続する（６８）。
【０１１４】
また、端末３Ｗと端末３Ｘは、移動端末１から受信した情報に基づいて、移動端末１のＰｏｒｔＢによって通信していた非リアルタイム通信のデータを送受信する（６９）。すなわち、端末３Ｘは移動端末１に送信する非リアルタイム通信のデータを端末３Ｗに送信し、端末３Ｗは端末３Ｘからのデータを一時的に記憶しておく。端末３Ｘから端末３Ｗへのデータ通信は例えば実施の形態１〜４のいずれかの方法によって行う。この後、移動端末１は端末３Ｘから端末３Ｗに送信されたデータを実施の形態１と同様の処理によって端末３Ｗから受信する。
【０１１５】
なお、端末３Ｘに対して送信される、通信を継続させるセッションを識別するための情報、通信を継続させないセッションを識別する情報等は、実施の形態１〜４のいずれの手順によって行ってもよい。
【０１１６】
このように、移動端末１のハンドオーバに伴って、リアルタイム通信と非リアルタイム通信を識別するための情報（セッションを識別する情報）を端末３Ｘに送信するので、端末３Ｘは移動端末１からの情報に基づいて移動端末１との通信を継続させることや端末３Ｗにデータを転送させることが可能となる。
【０１１７】
このように実施の形態５によれば、移動端末１が広帯域の無線システムから狭帯域の無線システムへハンドオーバした際に、１つの端末と複数の通信を行っていた場合であっても、セッション毎にデータ通信を継続させることや端末３Ｗにデータを転送させることが可能となる。したがって、移動端末１が既存のモバイルＩＰの枠組みで効率良く通信を行うことが可能となる。
【０１１８】
実施の形態６．
本実施の形態６においては、移動端末１がＡＰ２ａへのアクセス中に同一無線システム内で通信の実効速度が減速し、移動端末１から端末３Ｗに対して通信継続の困難なデータ通信に関する情報を送信する。この時、実施の形態１と同様の処理手順によって通信継続の困難なデータ通信のデータを端末３Ｗに送信させる。本実施の形態６においても図１に示す実施の形態１と同様のモバイルＩＰネットワーク上で移動端末１等が通信を行なう。なお、本実施の形態６においては移動端末１がハンドオーバしないため、モバイルＩＰネットワーク内においてＡＰ２ｂの必要はない。
【０１１９】
図１２は、実施の形態６に係るモバイルＩＰ通信処理の概念を説明するための概念図である。移動端末１は、ＡＰ２ａを介して端末３Ｘとリアルタイム通信をするとともにＡＰ２ａを介して端末３Ｙ，３Ｚと非リアルタイム通信を行なっている。
【０１２０】
移動端末１がＡＰ２ａへのアクセス中に同一無線システム内で通信の実効速度が減速する。移動端末１は、通信の実効速度が減速したことによって、データ通信の通信帯域が狭まり、全てのセッションを円滑に処理することが困難となる。移動端末１は、端末３Ｗに対し、移動端末１と端末３Ｙ、移動端末１と端末３Ｚで行っている非リアルタイム通信に関する情報を通知する（ＳＴ７１）。
【０１２１】
移動端末１は、通信を継続するのが困難な端末３Ｙと端末３Ｚに対し、移動端末１が端末３Ｙや端末３Ｚに通信しているデータを端末３Ｗに転送させるための指示情報、端末３Ｗの宛先アドレス等を含む情報を送信する（ＳＴ７２）。
【０１２２】
この後、端末３Ｗ，３Ｙ，３Ｚは、移動端末１から受信した情報に基づいて端末３Ｗと端末３Ｙの間、端末３Ｗと端末３Ｚの間でデータ通信を行う。すなわち、端末３Ｙ，３Ｚは移動端末１に送信するデータを端末３Ｗに送信する。また、端末３Ｘは移動端末１との通信を継続する（ＳＴ７３）。
【０１２３】
図１３は、実施の形態６に係るモバイルＩＰ通信方法の処理手順を示すシーケンス図である。移動端末１は、ＡＰ２ａにアクセスしており、ＨＡ４を介して端末３Ｘとリアルタイム通信をするとともにＨＡ４を介して端末３Ｙ，３Ｚと非リアルタイム通信をしている。すなわち、移動端末１は端末３Ｘ〜３Ｚとデータ通信を行っている（（７１）〜（７３））。
【０１２４】
移動端末１は、移動端末１が備える通信の実効速度の検出手段等によって通信の実効速度を測定している。移動端末１がＡＰ２ａへのアクセス中に同一無線システム内で通信の実効速度が減速すると、移動端末１は通信の実効速度の検出手段等によって通信の実効速度の減速を検出する。すなわち、移動端末１は通信の実効速度を測定することによって端末３Ｘ〜３Ｚと行なうデータ通信の処理能力が低下したことを検出する。
【０１２５】
移動端末１は、通信の実効速度が減速したことによって、データ通信の通信帯域が狭まり、全てのセッションを円滑に処理することが困難となる。このため、移動端末１は端末３Ｗに対し、移動端末１と端末３Ｙ、移動端末１と端末３Ｚで行っている通信を継続することが困難な非リアルタイム通信に関する情報「Session Info」を通知する（７５）。
【０１２６】
また、移動端末１は通信を継続するのが困難な端末３Ｙと端末３Ｚには、移動端末１が端末３Ｙ，３Ｚと通信しているデータを端末３Ｙ，３Ｚから端末３Ｗに転送させるための指示情報を含んだ「Binding Update」（Binding Update（Ｓｅｃｏｎｄ  ＩＰ））を送信する（（７４），（７６））。
【０１２７】
また、移動端末１は通信を切断したくないリアルタイム通信を行っている端末３Ｘに対してそのまま通信を継続させる。この後、端末３Ｗ〜３Ｚは実施の形態１と同様の処理手順によってデータ転送を行うためその説明は省略する。
【０１２８】
このように、移動端末１の通信の実効速度が減速した際に、移動端末１が端末３Ｙ，３Ｚと通信しているデータを端末３Ｙ，３Ｚから端末３Ｗに転送させるための指示情報や端末３Ｗの宛先アドレスを含んだ「Binding Update」を端末３Ｙ，３Ｚに送信するので、端末３Ｙ，３Ｚは移動端末１に送信していたデータを端末３Ｗに送信することが可能となる。
【０１２９】
このように実施の形態６によれば、移動端末１の通信の実効速度が減速した場合であっても、所定のデータを選択的に端末３Ｗに転送することができ、移動端末１が既存のモバイルＩＰの枠組みで効率良く通信を行うことが可能となる。また、移動端末１の通信の実効速度が減速した場合に通信中のデータを転送することとデータ通信の継続を平行して行なうことが可能となる。
【０１３０】
実施の形態７．
本実施の形態７においては、移動端末１がＡＰ２ａへのアクセス中に同一無線システム内で通信の実効速度が減速し、移動端末１が端末３Ｗに対して所定の情報（通信継続の困難な端末３Ｙ，３Ｚとの通信に関する情報）を送信するとともに、端末３Ｗが端末３Ｙ，３Ｚに対して所定の指示情報（端末３Ｙ，３Ｚが移動端末１に送信しているデータを端末３Ｙ，３Ｚから端末３Ｗに転送させるための指示情報）を送信する。この時、実施の形態２と同様の処理手順によって通信継続の困難なデータ通信のデータを端末３Ｗに送信させる。本実施の形態７においても図１に示す実施の形態１と同様のモバイルＩＰネットワーク上で移動端末１等が通信を行なう。なお、本実施の形態７においては移動端末１がハンドオーバしないため、モバイルＩＰネットワーク内においてＡＰ２ｂの必要はない。
【０１３１】
図１４は、実施の形態７に係るモバイルＩＰ通信処理の概念を説明するための概念図である。移動端末１は、ＡＰ２ａを介して端末３Ｘとリアルタイム通信をするとともにＡＰ２ａを介して端末３Ｙ，３Ｚと非リアルタイム通信をしている。
【０１３２】
移動端末１がＡＰ２ａへのアクセス中に同一無線システム内で通信の実効速度が減速する。移動端末１は、通信の実効速度が減速したことによって、データ通信の通信帯域が狭まり、全てのセッションを円滑に処理することが困難となる。移動端末１は、端末３Ｗに対し、移動端末１と端末３Ｙ、移動端末１と端末３Ｚで行っている非リアルタイム通信に関する情報を通知する（ＳＴ８１）。
【０１３３】
端末３Ｗは、通信を継続するのが困難な端末３Ｙ，３Ｚに対し、移動端末１が端末３Ｙや端末３Ｚに通信しているデータを端末３Ｙ，３Ｚから端末３Ｗに転送させるための指示情報、端末３Ｗの宛先アドレス等を含んだ情報を送信する（ＳＴ８２）。
【０１３４】
この後、端末３Ｙ，３Ｚは、端末３Ｗから受信した情報に基づいて端末３Ｗと端末３Ｙの間、端末３Ｗと端末３Ｚの間でデータ通信を行う。このとき、端末３Ｗは移動端末１からの情報に基づいて端末３Ｙ，３Ｚとデータ通信を行う。すなわち、端末３Ｙ，３Ｚは移動端末１に送信するデータを端末３Ｗに送信する。また、端末３Ｘは移動端末１との通信を継続する（ＳＴ８３）。
【０１３５】
図１５は、実施の形態７に係るモバイルＩＰ通信方法の処理手順を示すシーケンス図である。移動端末１は、ＡＰ２ａにアクセスしており、ＨＡ４を介して端末３Ｘとリアルタイム通信をするとともにＨＡ４を介して端末３Ｙ，３Ｚと非リアルタイム通信を行なっている。すなわち、移動端末１は端末３Ｘ〜３Ｚとデータ通信を行っている（（８１）〜（８３））。
【０１３６】
移動端末１は、移動端末１が備える通信の実効速度の検出手段等によって通信の実効速度を測定している。移動端末１がＡＰ２ａへのアクセス中に同一無線システム内で通信の実効速度が減速すると、移動端末１は通信の実効速度の検出手段等によって通信の実効速度の減速を検出する。
【０１３７】
移動端末１は、通信の実効速度が減速したことによって、データ通信の通信帯域が狭まり、全てのセッションを円滑に処理することが困難となる。このため、移動端末１は、非リアルタイム通信によるデータの転送先である端末３Ｗに対し、移動端末１と端末３Ｙ、移動端末１と端末３Ｚで行っている非リアルタイム通信に関する情報「Session Info」を通知する（８４）。
【０１３８】
また、端末３Ｗは通信を継続するのが困難な端末３Ｙと端末３Ｚに対し、移動端末１が端末３Ｙ，３Ｚと通信しているデータを端末３Ｙ，３Ｚから端末３Ｗに転送させるための指示情報や端末３Ｗの宛先アドレス等を含んだ「Binding Update」（Binding Update（Ｓｅｃｏｎｄ  ＩＰ））を送信する（（８５）、（８６））。
【０１３９】
また、移動端末１は通信を切断したくないリアルタイム通信を行っている端末３Ｘに対してそのまま通信を継続させる。この後、端末３Ｗ〜３Ｚは実施の形態２と同様の処理手順によってデータ転送を行うためその説明は省略する。
【０１４０】
このように、移動端末１の通信の実効速度が減速した際に、移動端末１が端末３Ｙ，３Ｚと通信しているデータを端末３Ｙ，３Ｚから端末３Ｗに転送させるための指示情報を端末３Ｗに送信するとともに、端末３Ｗが移動端末１と端末３Ｙ，３Ｚで通信しているデータを端末３Ｙ，３Ｚから端末３Ｗに転送させるための指示情報、端末３Ｗの宛先アドレスを含んだ「Binding Update」を端末３Ｙ，３Ｚに送信するので、端末３Ｙ，３Ｚは移動端末１に送信していたデータを端末３Ｗに送信することが可能となる。
【０１４１】
このように実施の形態７によれば、移動端末１の通信の実効速度が減速した際に、移動端末１が端末３Ｗに対して所定の指示情報を送信するだけで通信を継続することが困難な所定のデータを選択的に端末３Ｗに転送することが可能となる。したがって、移動端末１の通信の実効速度が減速した際に通信を継続することが困難な端末が複数ある場合であっても、移動端末１が既存のモバイルＩＰの枠組み内の少ない処理で効率良く通信を行うことが可能となる。また、端末３Ｗが移動端末１と端末３Ｙ，３Ｚで通信しているデータを端末３Ｙ，３Ｚから端末３Ｗに転送させるための指示情報を端末３Ｙ，３Ｚに送信するため、移動端末１、ＨＡ４のデータ転送のための負荷を軽減することが可能となる。
【０１４２】
実施の形態８．
本実施の形態８においては、移動端末１がＡＰ２ａへのアクセス中に同一無線システム内で通信の実効速度が減速した際、移動端末１が端末３Ｗに対して所定の情報（通信継続の困難な端末３Ｙ，３Ｚとの通信に関する情報）を送信するとともに、移動端末１がＨＡ４に対して所定の指示情報（端末３Ｙ，３Ｚが移動端末１に送信しているデータを端末３Ｙ，３ＺからＨＡ４に転送させるための指示情報）を送信する。端末３Ｙ，３Ｚは、ＨＡ４からの指示情報に基づいて移動端末１に送信するためのデータをＨＡ４を介して端末３Ｗに送信する。この時、実施の形態３と同様の処理手順によって通信継続の困難なデータ通信のデータを端末３Ｗに送信させる。本実施の形態８においても図１に示す実施の形態１と同様のモバイルＩＰネットワーク上で移動端末１等が通信を行なう。なお、本実施の形態８においては移動端末１がハンドオーバしないため、モバイルＩＰネットワーク内においてＡＰ２ｂの必要はない。
【０１４３】
図１６は、実施の形態８に係るモバイルＩＰ通信処理の概念を説明するための概念図である。移動端末１は、ＡＰ２ａを介して端末３Ｘとリアルタイム通信をするとともにＡＰ２ａを介して端末３Ｙ，３Ｚと非リアルタイム通信を行なっている。
【０１４４】
移動端末１がＡＰ２ａへのアクセス中に同一無線システム内で通信の実効速度が減速する。移動端末１は、通信の実効速度が減速したことによって、データ通信の通信帯域が狭まり、全てのセッションを円滑に処理することが困難となる。移動端末１は、端末３Ｗに対し、移動端末１と端末３Ｙ、移動端末１と端末３Ｚで行っている非リアルタイム通信に関する情報を通知する（ＳＴ９１）。
【０１４５】
移動端末１は、移動端末１と端末３Ｙ，３Ｚが通信しているデータを端末３Ｙ，３ＺからＨＡ４を介して端末３Ｗに転送させるための指示情報、端末３Ｗの宛先アドレス等を含んだ情報をＨＡ４に送信する（ＳＴ９２）。ＨＡ４は、移動端末１と端末３Ｙ，３Ｚが通信しているデータを端末３Ｙ，３ＺからＨＡ４に送信させるための指示情報を含んだ情報を端末３Ｙ，３Ｚに送信する。
【０１４６】
端末３Ｘは移動端末１との通信を継続する（ＳＴ９３）。端末３Ｙ，３Ｚは、ＨＡ４から受信した情報に基づいて、移動端末１へ送信するためのデータをＨＡ４を介して端末３Ｗに送信する（ＳＴ９４）。
【０１４７】
図１７は、実施の形態８に係るモバイルＩＰ通信方法の処理手順を示すシーケンス図である。移動端末１は、ＡＰ２ａにアクセスしており、ＨＡ４を介して端末３Ｘとリアルタイム通信をするとともにＨＡ４を介して端末３Ｙ，３Ｚと非リアルタイム通信をしている。すなわち、移動端末１は端末３Ｘ〜３Ｚとデータ通信を行っている（（９１）〜（９３））。
【０１４８】
移動端末１は、移動端末１が備える通信の実効速度の検出手段等によって通信の実効速度を測定している。移動端末１がＡＰ２ａへのアクセス中に同一無線システム内で通信の実効速度が減速すると、移動端末１は通信の実効速度の検出手段等によって通信の実効速度の減速を検出する。
【０１４９】
移動端末１は、ＡＰ２ａからＡＰ２ｂへ移動したことによって、データ通信の通信帯域が狭まり、全てのセッションを円滑に処理することが困難となる。このため、移動端末１は移動端末１と端末３Ｙ，３Ｚが通信しているデータを端末３Ｙ，３ＺからＨＡ４を介して端末３Ｗに転送させるための指示情報を含んだ「Binding Update」（Binding Update（Ｓｅｃｏｎｄ  ＩＰ））をＨＡ４に送信する（９４）。
【０１５０】
移動端末１は、非リアルタイム通信によるデータの転送先である端末３Ｗに対し、移動端末１と端末３Ｙ、移動端末１と端末３Ｚで行っている非リアルタイム通信に関する情報「Session Info」を通知する（９５）。
【０１５１】
ＨＡ４は、移動端末１と端末３Ｙや端末３Ｚが通信しているデータをＨＡ４に送信させるための指示情報や端末３Ｗの宛先アドレス等を含んだ「Binding Update」を端末３Ｙ，３Ｚに送信する。
【０１５２】
この後、端末３Ｘは移動端末１との通信を継続する。また、端末３Ｙ，３Ｚは、ＨＡ４から受信した情報に基づいてＨＡ４と端末３Ｙの間、ＨＡ４と端末３Ｚの間でデータ通信を行う。このとき、ＨＡ４は移動端末１からの情報に基づいて端末３Ｙ，３Ｚとデータ通信を行う。すなわち、端末３Ｙ，３Ｚは移動端末１に送信するデータをＨＡ４に送信する（（９６）、（９８））。
【０１５３】
ＨＡ４は、端末３Ｙ，３Ｚからのデータを端末３Ｗに転送する（（９７）、（９９））。移動端末１は通信を切断したくないリアルタイム通信を行っている端末３Ｘに対してそのまま通信を継続させる。移動端末１と端末３Ｗは実施の形態３と同様の処理手順によってデータ転送を行うためその説明は省略する。
【０１５４】
このように、移動端末１の通信の実効速度が減速した際に、移動端末１が端末３Ｙや端末３Ｚに通信しているデータを端末３Ｗに転送させるための指示情報をＨＡ４に送信し、ＨＡ４が端末３Ｗの宛先アドレスを含んだ「Binding Update」を端末３Ｙ，３Ｚに送信するので、端末３Ｙ，３Ｚは移動端末１に送信していたデータを端末３Ｗに送信することが可能となる。
【０１５５】
このように実施の形態８によれば、移動端末１の通信の実効速度が減速した際に、移動端末１がＨＡ４に対して所定の指示情報を送信するだけで通信を継続することが困難な所定のデータを選択的に端末３Ｗに転送することが可能となる。したがって、移動端末１の通信の実効速度が減速した際に通信を継続することが困難な端末が複数ある場合であっても、移動端末１が既存のモバイルＩＰの枠組み内の少ない処理で効率良く通信を行うことが可能となる。また、ＨＡ４が移動端末１と端末３Ｙ，３Ｚで通信しているデータを端末３Ｙ，３Ｚから端末３Ｗに転送させるための指示情報を端末３Ｙ，３Ｚに送信するため、移動端末１、端末３Ｗのデータ転送のための負荷を軽減することが可能となる。
【０１５６】
実施の形態９．
本実施の形態９においては、移動端末１がＡＰ２ａへのアクセス中に同一無線システム内で通信の実効速度が減速した際、移動端末１が端末３Ｗに対して所定の情報（通信継続の困難な端末３Ｙ，３Ｚとの通信に関する情報）を送信するとともに、端末３ＷがＨＡ４に対して所定の指示情報（端末３Ｙ，３Ｚが移動端末１に送信しているデータを端末３Ｙ，３ＺからＨＡ４に転送させるための指示情報）を送信する。端末３Ｙ，３Ｚは、ＨＡ４からの指示情報に基づいて移動端末１に送信するためのデータをＨＡ４を介して端末３Ｗに送信する。この時、実施の形態４と同様の処理手順によって通信継続の困難なデータ通信のデータを端末３Ｗに送信させる。本実施の形態９においても図１に示す実施の形態１と同様のモバイルＩＰネットワーク上で移動端末１等が通信を行なう。なお、本実施の形態９においては移動端末１がハンドオーバしないため、モバイルＩＰネットワーク内においてＡＰ２ｂの必要はない。
【０１５７】
図１８は、実施の形態９に係るモバイルＩＰ通信処理の概念を説明するための概念図である。移動端末１は、ＡＰ２ａを介して端末３Ｘとリアルタイム通信をするとともにＡＰ２ａを介して端末３Ｙ，３Ｚと非リアルタイム通信をしている。
【０１５８】
移動端末１がＡＰ２ａへのアクセス中に同一無線システム内で通信の実効速度が減速する。移動端末１は、通信の実効速度が減速したことによって、データ通信の通信帯域が狭まり、全てのセッションを円滑に処理することが困難となる。移動端末１は、非リアルタイム通信によるデータの転送先である端末３Ｗに対し、移動端末１と端末３Ｙ、移動端末１と端末３Ｚで行っている非リアルタイム通信に関する情報を通知する（ＳＴ１０１）。
【０１５９】
端末３Ｗは、移動端末１と端末３Ｙ，３Ｚが通信しているデータをＨＡ４を介して端末３Ｗに転送させるための指示情報、端末３Ｗの宛先アドレス等を含んだ情報をＨＡ４に送信する（ＳＴ１０２）。ＨＡ４は、移動端末１が端末３Ｙ，３Ｚが通信しているデータをＨＡ４に送信させるための指示情報を端末３Ｙ，３Ｚに送信する。
【０１６０】
この後、端末３Ｙ，３Ｚは、ＨＡ４から受信した情報に基づいて、移動端末１に送信するデータをＨＡ４を介して端末３Ｗに送信する（ＳＴ１０３）。また、端末３Ｘは移動端末１との通信を継続する（ＳＴ１０４）。
【０１６１】
図１９は、実施の形態９に係るモバイルＩＰ通信方法の処理手順を示すシーケンス図である。移動端末１は、ＡＰ２ａにアクセスしており、ＨＡ４を介して端末３Ｘとリアルタイム通信をするとともにＨＡ４を介して端末３Ｙ，３Ｚと非リアルタイム通信をしている。すなわち、移動端末１は端末３Ｘ〜３Ｚとデータ通信を行っている（（１０１）〜（１０３））。
【０１６２】
移動端末１は、移動端末１が備える通信の実効速度の検出手段等によって通信の実効速度を測定している。移動端末１がＡＰ２ａへのアクセス中に同一無線システム内で通信の実効速度が減速すると、移動端末１は通信の実効速度の検出手段等によって通信の実効速度の減速を検出する。
【０１６３】
移動端末１は、通信の実効速度が減速したことによって、データ通信の通信帯域が狭まり、全てのセッションを円滑に処理することが困難となる。このため、移動端末１は通信を継続するのが困難な非リアルタイム通信によるデータの転送先である端末３Ｗに対し、移動端末１と端末３Ｙ、移動端末１と端末３Ｚで行っている通信を継続することが困難なデータ通信に関する情報「Session Info」を通知する（１０４）。
【０１６４】
端末３Ｗは、移動端末１と端末３Ｙ，３Ｚが通信しているデータをＨＡ４を介して端末３Ｗに転送させるための指示情報を含んだ「Binding Update」（Binding Update（Ｓｅｃｏｎｄ  ＩＰ））をＨＡ４に送信する（１０５）。
【０１６５】
ＨＡ４は、移動端末１と端末３Ｙや端末３Ｚが通信しているデータをＨＡ４に送信させるための指示情報を含んだ「Binding Update」を端末３Ｙ，３Ｚに送信する。
【０１６６】
また、移動端末１は通信を切断したくないリアルタイム通信を行っている端末３Ｘに対してそのまま通信を継続させる。端末３Ｙ，３Ｚは、ＨＡ４から受信した情報に基づいて、移動端末１に送信するデータをＨＡ４を介して端末３Ｗに送信する（（１０６）〜（１０９））。この後、移動端末１と端末３Ｗは実施の形態４と同様の処理手順によってデータ転送を行うためその説明は省略する。
【０１６７】
このように、移動端末１の通信の実効速度が減速した際に、移動端末１が端末３Ｙや端末３Ｚに通信しているデータを端末３Ｗに転送させるための指示情報を端末３Ｗに送信するとともに、端末３Ｗが端末３Ｗの宛先アドレスを含む情報をＨＡ４に送信し、ＨＡ４が端末３Ｗの宛先アドレスを含んだ「Binding Update」を端末３Ｙ，３Ｚに送信するので、端末３Ｙ，３Ｚは移動端末１に送信していたデータを端末３Ｗに送信することが可能となる。
【０１６８】
このように実施の形態９によれば、移動端末１の通信の実効速度が減速した際に、移動端末１が端末３Ｗに対して所定の指示情報を送信するだけで通信を継続することが困難な所定のデータを選択的に端末３Ｗに転送することが可能となる。したがって、移動端末１の通信の実効速度が減速した際に通信を継続することが困難な端末がある複数ある場合であっても、移動端末１が既存のモバイルＩＰの枠組み内の少ない処理で効率良く通信を行うことが可能となる。また、ＨＡ４が移動端末１と端末３Ｙ，３Ｚで通信しているデータを端末３Ｙ，３Ｚから端末３Ｗに転送させるための指示情報を端末３Ｙ，３Ｚに送信するため、移動端末１のデータ転送のための負荷を軽減することが可能となる。
【０１６９】
実施の形態１０．
本実施の形態１０においては、端末３Ｘとリアルタイム通信および非リアルタイム通信を行っている移動端末１において、ＡＰ２ａへのアクセス中に同一無線システム内で通信の実効速度が減速した際、移動端末１から端末３Ｗに対して通信継続の困難なデータ通信に関する情報を送信する。この時、実施の形態５と同様の処理手順によって通信継続の困難なデータ通信のデータを端末３Ｗに送信させる。本実施の形態１０においても図１に示す実施の形態１と同様のモバイルＩＰネットワーク上で移動端末１等が通信を行なう。なお、本実施の形態１０においては移動端末１がハンドオーバしないため、モバイルＩＰネットワーク内においてＡＰ２ｂの必要はない。
【０１７０】
図２０は、モバイルＩＰ通信ネットワーク上での実施の形態１０に係るモバイルＩＰ通信処理の概念を説明するための概念図である。移動端末１は、ＡＰ２ａを介して端末３Ｘとリアルタイム通信（Ａ）および非リアルタイム通信（Ｂ）を行なっている。
【０１７１】
移動端末１がＡＰ２ａへのアクセス中に同一無線システム内で通信の実効速度が減速する。移動端末１は、通信の実効速度が減速したことによって、データ通信の通信帯域が狭まり、全てのセッションを円滑に処理することが困難となる。移動端末１は、端末３Ｗに対し移動端末１と端末３Ｘで行っている通信を継続することが困難な非リアルタイム通信のセッションに関する情報（非リアルタイム通信を行なっていたＰｏｒｔ番号等）を通知する（ＳＴ１１１）。
【０１７２】
移動端末１は通信を継続することが困難な非リアルタイム通信に対して所定のデータ転送を行なわせるため、通信を継続させないセッションを識別する情報（通信を継続させずにデータ転送を行なわせる移動端末１のＴＣＰ  Ｐｏｒｔ番号等と端末３Ｗの宛先アドレス）を端末３Ｘに通知する（ＳＴ１１２）。
【０１７３】
この後、端末３Ｗと端末３Ｘは、移動端末１から受信した情報に基づいて、通信を継続させずにデータ転送を行なわせる移動端末１のＴＣＰ  Ｐｏｒｔ番号のＰｏｒｔによって通信していた非リアルタイム通信のデータを送受信する（ＳＴ１１３）。また、端末３Ｘは端末３Ｗと送受信する非リアルタイム通信以外のデータ通信を移動端末１との間で継続する。この後、移動端末１は端末３Ｘから端末３Ｗに送信されたデータを端末３Ｗから受信する。
【０１７４】
図２１は、実施の形態１０に係るモバイルＩＰ通信方法の処理手順を示すシーケンス図である。移動端末１は、ＡＰ２ａにアクセスしており、ＨＡ４を介して端末３Ｘとリアルタイム通信および非リアルタイム通信をしている（（１１１）、（１１２））。
【０１７５】
移動端末１は、移動端末１が備える通信の実効速度の検出手段等によって通信の実効速度を測定している。移動端末１がＡＰ２ａへのアクセス中に同一無線システム内で通信の実効速度が減速すると、移動端末１は通信の実効速度の検出手段等によって通信の実効速度の減速を検出する。
【０１７６】
移動端末１は、通信の実効速度が減速したことによって、データ通信の通信帯域が狭まり、全てのセッションを円滑に処理することが困難となる。移動端末１は通信を切断したくないリアルタイム通信を継続させるため、通信を継続することが困難な非リアルタイム通信に対して所定のデータ転送を行なわせる。すなわち、移動端末１は非リアルタイム通信に対してデータ転送を行う端末３Ｗに移動端末１と端末３Ｘの非リアルタイム通信に関する情報「Session Info」を通知する（１１３）。また、移動端末１は通信を継続することが困難な非リアルタイム通信に対して所定のデータ転送を行なわせるため、拡張したBinding Update（Binding Update（Ｓｅｃｏｎｄ  ＩＰ，ＰｏｒｔＢ））によってセッションを識別する情報（通信を継続させずにデータ転送を行なわせるＴＣＰ  Ｐｏｒｔ番号等と端末３Ｗの宛先アドレス）を端末３Ｘに通知する（１１４）。
【０１７７】
端末３Ｘは、セッションを識別する情報として通信を継続させるＴＣＰ  Ｐｏｒｔ番号等と端末３Ｗの宛先アドレス含む情報を移動端末１から受信すると、このＴＣＰ  Ｐｏｒｔ番号によるデータを端末３Ｗの宛先アドレスに転送させると判断する。
【０１７８】
端末３Ｗと端末３Ｘは、移動端末１から受信した情報に基づいて、移動端末１のＰｏｒｔＢによって通信していた非リアルタイム通信のデータを送受信する（１１５）。すなわち、端末３Ｘは移動端末１に送信する非リアルタイム通信のデータを端末３Ｗに送信しておく。
【０１７９】
端末３Ｘから端末３Ｗへのデータ通信は例えば実施の形態５〜８のいずれかの方法によって行う。この後、移動端末１は端末３Ｘから端末３Ｗに送信された非リアルタイム通信のデータを端末３Ｗから受信する。
【０１８０】
なお、端末３Ｘに対して送信される、通信を継続させるセッションを識別するための情報、通信を継続させないセッションを識別する情報等は、実施の形態５〜８のいずれの手順によって行ってもよい。
【０１８１】
このように、移動端末１の通信の実効速度が減速した際に、リアルタイム通信と非リアルタイム通信を識別するための情報（セッションを識別する情報）を端末３Ｘに送信するので、端末３Ｘは移動端末１からの情報に基づいて移動端末１との通信を継続させることや端末３Ｗにデータを転送させることが可能となる。
【０１８２】
このように実施の形態１０によれば、移動端末１の通信の実効速度が減速した際に、１つの端末と複数の通信を行っていた場合であっても、セッション毎にデータ通信を継続させることや端末３Ｗにデータを転送させることが可能となる。したがって、移動端末１が既存のモバイルＩＰの枠組みで効率良く通信を行うことが可能となる。
【０１８３】
実施の形態１１．
本実施の形態１１においては、移動端末１は最初にＡＰ２ａにアクセスした後、移動してＡＰ２ｂにアクセスする。そして、端末３Ｙ，３Ｚから端末３Ｗへ非リアルタイム通信のデータを送信している際に移動端末１が再びＡＰ２ａにアクセスし、移動端末１が端末３Ｙ，３Ｚとの間で非リアルタイム通信を再開する。本実施の形態１１においても図１に示す実施の形態１と同様のモバイルＩＰネットワーク上で移動端末１等が通信を行なう。
【０１８４】
図２２は、実施の形態１１に係るモバイルＩＰ通信方法の処理手順を示すシーケンス図である。移動端末１がＡＰ２ａからＡＰ２ｂへハンドオーバすると、例えば実施の形態１〜１０に示した手順によって端末３Ｙ，３Ｚから端末３Ｗへ非リアルタイム通信のデータが転送される。端末３Ｗは、端末３Ｙ，３Ｚから非リアルタイム通信のデータを受信し、移動端末１は端末３Ｘからリアルタイム通信のデータを受信する（（１３１）〜（１３３））。すなわち、移動端末１はＡＰ２ｂにアクセスし、ＨＡ４を介して端末３Ｘとリアルタイム通信をしている。
【０１８５】
移動端末１がＡＰ２ｂの通信エリアからＡＰ２ａの通信エリアに移動し、ＡＰ２ｂからＡＰ２ａへのハンドオーバが起こる。移動端末１がＡＰ２ａにアクセスすると、移動端末１はＡＰ２ａからＣｏＡが割り当てられる。
【０１８６】
移動端末１は、ＡＰ２ａからＣｏＡを割り当てられると、ＡＰ２ａからのＣｏＡに基づいて狭帯域のＡＰ２ｂの通信エリアから広帯域のＡＰ２ａの通信エリアへ移動したことを認識する（１３４）。すなわち、移動端末１はＡＰ２ａからＣｏＡを割り当てられることによって端末３Ｘ〜３Ｚと行なうデータ通信の処理能力が向上したことを検出する。
【０１８７】
移動端末１は、ＡＰ２ａを介してＨＡ４に送信する「Binding Update」（Binding Update（ＨｏＡ，ＣｏＡ））によって、ＨＡ４から移動端末１に割り当てられているＨｏＡとＣｏＡをＨＡ４に登録させる（１３５）。
【０１８８】
移動端末１は、ＡＰ２ａの通信エリアからＡＰ２ｂの通信エリアへ移動したことによって、データ通信の通信帯域が広がり、全てのセッションを円滑に処理することが可能となる。このため、移動端末１はリアルタイム通信を行っている端末３Ｘには「Binding Update」（Binding Update（ＣｏＡ））によってＣｏＡを通知し、移動端末１との通信を継続させる（１３６）。
【０１８９】
移動端末１は、通信を継続するのが困難であった非リアルタイム通信によるデータの転送先である端末３Ｗに対し、移動端末１と端末３Ｙ、移動端末１と端末３Ｚでデータ通信を再開するデータ通信（非リアルタイム通信）に関する情報「Session Info」（転送停止指示情報）を通知する（１３７）。端末３Ｗは、移動端末１から「Session Info」を受信すると移動端末１と端末３Ｙ，３Ｚとの非リアルタイム通信が再開されるため、端末３Ｙ，３Ｚから端末３Ｗへの非リアルタイム通信を停止させる。このとき、端末３Ｗは端末３Ｙ，３Ｚからの非リアルタイム通信を停止するまでのデータを記憶しておく。
【０１９０】
また、移動端末１はデータ通信の処理能力の向上に応じて、最初のＡＰ２ａからＡＰ２ｂへのハンドオーバで通信を継続することが困難であると判断した端末３Ｙと端末３Ｚには、「Binding Update」（Binding Update（ＣｏＡ））によってＣｏＡを通知する（（１３８）、（１３９））。
【０１９１】
端末３Ｙ，３Ｚは、移動端末１から「Binding Update」を受信すると移動端末１への非リアルタイム通信を再開させる。このとき、端末３Ｙ，３Ｚは、端末３Ｗへ送信した非リアルタイム通信の続きのデータから移動端末１へ非リアルタイム通信を行なう（（１４０）、（１４１））。
【０１９２】
端末３Ｙ，３Ｚから移動端末１への非リアルタイム通信（移動端末１が端末３Ｙ，３Ｚに要求した非リアルタイム通信）が完了すると、移動端末１は端末３Ｗに端末３Ｙ，３Ｚとの非リアルタイム通信に関する情報を含む「Session Info」を送信する（１４２）。
【０１９３】
端末３Ｙ，３Ｚから移動端末１への非リアルタイム通信が完了すると、移動端末１は端末３Ｗが記憶している端末３Ｙ，３Ｚから端末３Ｗへの非リアルタイム通信を停止するまでのデータを端末３Ｗから受信する（１４３）。
【０１９４】
移動端末１は、端末３Ｗが記憶していた端末３Ｙ，３Ｚから端末３Ｗへの非リアルタイム通信のデータであって移動端末１が要求したデータを受信すると、この端末３Ｙ，３Ｚからのデータと端末３Ｙ，３Ｚからの非リアルタイム通信の再開によって受信したデータとをマージする。
【０１９５】
なお、本実施の形態１１においては移動端末１がハンドオーバすることによってデータ通信の通信帯域が広がった際に非リアルタイム通信を再開する場合について説明したが、移動端末１が同一無線システム内で通信の実効速度が大きくなった際に所望の非リアルタイム通信を再開することとしてもよい。
【０１９６】
このように実施の形態１１によれば、移動端末１の通信帯域が広がった際に、端末３Ｙ，３Ｚは、端末３Ｗへ送信した非リアルタイム通信の続きのデータから移動端末１へ非リアルタイム通信を行なうとともに、移動端末１は端末３Ｗが記憶している端末３Ｙ，３Ｚから端末３Ｗへの非リアルタイム通信を停止するまでのデータを端末３Ｗから受信するので、移動端末１が既存のモバイルＩＰの枠組みで効率良く通信を行うことが可能となる。
【産業上の利用可能性】
【０１９７】
以上のように、本発明にかかるデータ通信方法は、モバイルＩＰ通信に有用であり、特に、データ転送を行なうデータ通信に適している。
【図面の簡単な説明】
【０１９８】
【図１】本発明にかかるモバイルＩＰネットワークの構成を示す構成図である。
【図２】実施の形態１に係るモバイルＩＰ通信処理の概念を説明するための概念図である。
【図３】実施の形態１に係るモバイルＩＰ通信方法の処理手順を示すシーケンス図である。
【図４】実施の形態２に係るモバイルＩＰ通信処理の概念を説明するための概念図である。
【図５】実施の形態２に係るモバイルＩＰ通信方法の処理手順を示すシーケンス図である。
【図６】実施の形態３に係るモバイルＩＰ通信処理の概念を説明するための概念図である。
【図７】実施の形態３に係るモバイルＩＰ通信方法の処理手順を示すシーケンス図である。
【図８】実施の形態４に係るモバイルＩＰ通信処理の概念を説明するための概念図である。
【図９】実施の形態４に係るモバイルＩＰ通信方法の処理手順を示すシーケンス図である。
【図１０】実施の形態５に係るモバイルＩＰ通信処理の概念を説明するための概念図である。
【図１１】実施の形態５に係るモバイルＩＰ通信方法の処理手順を示すシーケンス図である。
【図１２】実施の形態６に係るモバイルＩＰ通信処理の概念を説明するための概念図である。
【図１３】実施の形態６に係るモバイルＩＰ通信方法の処理手順を示すシーケンス図である。
【図１４】実施の形態７に係るモバイルＩＰ通信処理の概念を説明するための概念図である。
【図１５】実施の形態７に係るモバイルＩＰ通信方法の処理手順を示すシーケンス図である。
【図１６】実施の形態８に係るモバイルＩＰ通信処理の概念を説明するための概念図である。
【図１７】実施の形態８に係るモバイルＩＰ通信方法の処理手順を示すシーケンス図である。
【図１８】実施の形態９に係るモバイルＩＰ通信処理の概念を説明するための概念図である。
【図１９】実施の形態９に係るモバイルＩＰ通信方法の処理手順を示すシーケンス図である。
【図２０】実施の形態１０に係るモバイルＩＰ通信処理の概念を説明するための概念図である。
【図２１】実施の形態１０に係るモバイルＩＰ通信方法の処理手順を示すシーケンス図である。
【図２２】実施の形態１１に係るモバイルＩＰ通信方法の処理手順を示すシーケンス図である。
【符号の説明】
【０１９９】
１  移動端末
２ａ，２ｂ  ＡＰ
３Ｗ〜３Ｘ  端末
４  ＨＡ
１００  インターネット
【図１】
2006191177.tif 000003
【図２】
2006191177.tif 000004
【図３】
2006191177.tif 000005
【図４】
2006191177.tif 000006
【図５】
2006191177.tif 000007
【図６】
2006191177.tif 000008
【図７】
2006191177.tif 000009
【図８】
2006191177.tif 000010
【図９】
2006191177.tif 000011
【図１０】
2006191177.tif 000012
【図１１】
2006191177.tif 000013
【図１２】
2006191177.tif 000014
【図１３】
2006191177.tif 000015
【図１４】
2006191177.tif 000016
【図１５】
2006191177.tif 000017
【図１６】
2006191177.tif 000018
【図１７】
2006191177.tif 000019
【図１８】
2006191177.tif 000020
【図１９】
2006191177.tif 000021
【図２０】
2006191177.tif 000022
【図２１】
2006191177.tif 000023
【図２２】
2006191177.tif 000024